(57)【要約】【課題】商品収納庫の上面部からの荷重が仕切板に直接加わることがなく、仕切板の変形を確実に防止することのできる自動販売機を提供する。【解決手段】仕切板１０の上端と商品収納庫２の上面部２ｂとの間に所定間隔の隙間を設けるとともに、仕切板１０の上端と上面部２ｂとの間に緩衝部材１９を介在させるようにしたので、各商品コラム３の荷重によって上面部２ｂが下方に撓みを生じた場合でも、上面部２ｂの撓みを緩衝部材１９によって吸収することができる。【選択図】　図９
2004094812.tif 000002
【特許請求の範囲】
【請求項１】
自動販売機本体内に設けられた商品収納庫と、商品収納庫内を幅方向に仕切る断熱性の仕切板とを備えた自動販売機において、
前記仕切板の上端と商品収納庫の上面部との間に所定間隔の隙間を設けるとともに、
商品収納庫の上面部と仕切板との間に緩衝部材を介在させた
ことを特徴とする自動販売機。
【請求項２】
前記緩衝部材を断熱性を有する部材によって形成した
ことを特徴とする請求項１記載の自動販売機。
【請求項３】
前記仕切板の上端部に緩衝部材を覆う上下方向に移動自在な可動部材を取付けた
ことを特徴とする請求項１または２記載の自動販売機。
【請求項４】
前記仕切板を、仕切板の外形とほぼ一致するように形成された板状の断熱材と、断熱材の周端部に取付けられた補強部材とから形成した
ことを特徴とする請求項１、２または３記載の自動販売機。
【請求項５】
前記可動部材を仕切板の上端側に配置される補強部材に上下方向に移動自在に連結した
ことを特徴とする請求項４記載の自動販売機。
【発明の詳細な説明】
【０００１】
【発明の属する技術分野】
本発明は、缶またはビン入り飲料等の商品を冷却及び加熱してそれぞれ販売する自動販売機に関するものである。
【０００２】
【従来の技術】
一般に、この種の自動販売機としては、自動販売機本体内に設けられた商品収納庫と、商品収納庫内を幅方向に仕切る断熱性の仕切板とを備え、仕切板によって仕切られた一方の庫室を冷却し、他方の庫室を加熱することにより、冷たい商品と温かい商品とをそれぞれ販売するようにした自動販売機が知られている。
【０００３】
前記仕切板には、互いに厚さ方向に間隔をおいて対向する一対の金属板の間に、発泡ウレタン等の断熱材を注入発泡して硬化させたものが用いられていたが、このような構造では、自動販売機を廃棄処理する際、硬化した断熱材が金属板に強固に付着しているため、金属板と断熱材との分別が困難であった。
【０００４】
そこで、硬質ウレタンフォーム等によって所定形状に形成された断熱板を用い、断熱板の周端部に金属製の補強部材をネジ止めして仕切板を形成することにより、廃棄処理の際に断熱板と補強部材とを容易に分離できるようにしたものが知られている（例えば、特許文献１参照。）。
【０００５】
【特許文献１】
特開２００２−３２８４２号公報
【０００６】
【発明が解決しようとする課題】
しかしながら、前述のような断熱板を用いた仕切板は、金属板の間に断熱材を注入発泡して硬化させたものに比べて強度的に劣るため、商品収納庫の上面部に吊り下げられた商品コラムの荷重が上面部から仕切板に加わると、仕切板が反りや撓みなどの変形を生ずるという欠点がある。このため、変形した仕切板が商品コラムに接触して商品コラムを円滑に引き出すことができなくなったり、仕切板の変形により気密性が低下して冷却側の庫室と加熱側の庫室との間の断熱性が損なわれるなどの問題点があった。
【０００７】
本発明は前記問題点に鑑みてなされたものであり、その目的とするところは、商品収納庫の上面部からの荷重が仕切板に直接加わることがなく、仕切板の変形を確実に防止することのできる自動販売機を提供することにある。
【０００８】
【課題を解決するための手段】
本発明は前記目的を達成するために、請求項１では、自動販売機本体内に設けられた商品収納庫と、商品収納庫内を幅方向に仕切る断熱性の仕切板とを備えた自動販売機において、前記仕切板の上端と商品収納庫の上面部との間に所定間隔の隙間を設けるとともに、商品収納庫の上面部と仕切板との間に緩衝部材を介在させている。
【０００９】
これにより、例えば商品収納庫の上面部に吊り下げられた商品コラムの荷重により、上面部が下方に撓みを生じた場合には、上面部の撓みは仕切板の上端との間に介在する緩衝部材によって吸収されることから、上面部からの荷重が仕切板に直接加わることはない。
【００１０】
また、請求項２では、請求項１記載の自動販売機において、前記緩衝部材を断熱性を有する部材によって形成している。
【００１１】
これにより、請求項１の作用に加え、仕切板の上端と商品収納庫の上面部との間の隙間が緩衝部材によって断熱される。
【００１２】
また、請求項３では、請求項１または２記載の自動販売機において、前記仕切板の上端部に緩衝部材を覆う上下方向に移動自在な可動部材を取付けている。
【００１３】
これにより、請求項１または２の作用に加え、可動部材によって商品収納庫の上面部と仕切板との間の隙間が密閉される。
【００１４】
また、請求項４では、請求項１、２または３記載の自動販売機において、前記仕切板を、仕切板の外形とほぼ一致するように形成された板状の断熱材と、断熱材の周端部に取付けられた補強部材とから形成している。
【００１５】
これにより、請求項１、２または３の作用に加え、補強部材を断熱材から取外すことにより、仕切板が補強部材から分離される。
【００１６】
また、請求項５では、請求項４記載の自動販売機において、前記可動部材を仕切板の上端側に配置される補強部材に上下方向に移動自在に連結している。
【００１７】
これにより、請求項４の作用に加え、可動部材が仕切板と一体化される。
【００１８】
【発明の実施の形態】
図１乃至図７は本発明の一実施形態を示すもので、図１は自動販売機の内部正面図、図２は仕切板の側面図、図３は断熱板の部分断面図、図４は仕切板の分解側面図、図５はその組立工程を示す一部断面平面図、図６は仕切板の上端部を示す正面断面図、図７はその分解正面断面図、図８は仕切板の下端部を示す部分斜視図、図９は仕切板の上端部の動作説明図である。
【００１９】
この自動販売機は、前面を開口した自動販売機本体１と、自動販売機本体１内に設けられた商品収納庫２と、商品収納庫２内に配置された複数の商品コラム３とを備えている。
【００２０】
自動販売機本体１は前面に図示しない外扉を有し、外扉によって前面を開閉するようになっている。
【００２１】
商品収納庫２は断熱壁２ａによって囲まれ、その前面は図示しない断熱性の内扉によって開閉するようになっている。また、商品収納庫２の幅方向一端側には冷却器４及び送風機５が配置され、幅方向他端側にはヒータ６及び送風機７が配置されている。
【００２２】
各商品コラム３は、いわゆるサーペンタイン式の周知の構成からなり、互いに幅方向及び前後方向に配列され、商品収納庫２の上面部２ｂから吊り下げられて設置されている。即ち、各商品コラム３には缶またはビン入り飲料等の商品が収納され、図示しない商品搬出機構によって商品が一つずつ落下搬出されるようになっている。
【００２３】
また、前記商品収納庫２内には断熱性の仕切板１０が設けられ、仕切板１０によって商品収納庫２内が幅方向二つの庫室２ｃ，２ｄに仕切られている。これにより、一方の庫室２ｃ内が冷却器４及び送風機５によって冷却され、この庫室２ｃ内の各商品コラム３からは冷たい商品が搬出される。また、他方の庫室２ｄはヒータ６及び送風機７によって加熱され、この庫室２ｄ内の各商品コラム３からは温かい商品が搬出される。
【００２４】
前記仕切板１０は、四角形状に形成された断熱板１１と、断熱板１１の前端部に取付られる前端側フレーム１２と、断熱板１１の後端部に取付られる後端側フレーム１３と、断熱板１１の上端部に取付られる上端側フレーム１４と、断熱板１１の下端部に取付られる下端側フレーム１５と、前端側フレーム１２に取付けられる前端側パッキン１６と、上端側フレーム１４に取付けられる可動フレーム１７とからなり、フレーム１２〜１５はそれぞれ補強部材をなす。
【００２５】
断熱板１１は、例えばガラス繊維入りの硬質ウレタンボードからなり、仕切板１０の外形とほぼ一致するように形成されている。また、断熱板１１の厚さ方向両面は薄膜状の表面材１１ａによってそれぞれ被覆されており、表面材１１ａは、例えばタンカル紙やポリエステル紙からなる。
【００２６】
前端側フレーム１２は断面コ字状に形成された金属板からなり、断熱板１１の前端面に対応する端面部１２ａと、端面部１２ａの幅方向両端からそれぞれ後方に向かって垂直に延びる一対の側面部１２ｂとから形成されている。各側面部１２ｂにはネジ挿通用の複数の孔１２ｃが上下方向に間隔をおいて設けられ、端面部１２ａには前端側パッキン１６を取付けるための複数の係合片１２ｄが上下方向に間隔をおいて設けられている。
【００２７】
後端側フレーム１３は断面コ字状に形成された金属板からなり、断熱板１１の後端面に対応する端面部１３ａと、端面部１３ａの幅方向両端からそれぞれ前方に向かって垂直に延びる一対の側面部１３ｂとから形成されている。この場合、各側面部１３ｂにはネジ挿通用の複数の孔１３ｃが上下方向に間隔をおいて設けられている。後端側フレーム１３には幅方向に両側延びる複数の取付片１３ｄが上下方向に間隔をおいて設けられ、仕切板１０を商品収納庫２内に取付ける際、後端側フレーム１３が各取付片１３ｄを介して商品収納庫２内の背面にネジ止めされるようになっている。
【００２８】
上端側フレーム１４は断面コ字状に形成された金属板からなり、断熱板１１の上端面に対応する端面部１４ａと、端面部１４ａの幅方向両端からそれぞれ下方に向かって垂直に延びる一対の側面部１４ｂとから形成されている。この場合、各側面部１４ｂにはネジ孔１４ｃがそれぞれ設けられている。
【００２９】
下端側フレーム１５は断面コ字状に形成された金属板からなり、断熱板１１の下端部に嵌着されるようになっている。下端側フレーム１５は、仕切板１０を商品収納庫２内に取付ける際、平板状の下端側パッキン１５ａを介して商品収納庫２の底面に圧着するようになっている。また、下端側フレーム１５の前端側には、商品収納庫２内の配線（図示せず）を挿通するための切り欠き部１５ｂが設けられている。
【００３０】
前端側パッキン１６は前端側フレーム１２に沿って上下方向に延び、合成樹脂によって形成されている。前端側パッキン１６は前端側フレーム１２の各係合片１２ｅに係合する溝１６ａを有し、溝１６ａと各係合片１２ｅとの係合により前端側フレーム１２に取付けられている。即ち、前端側パッキン１６は自動販売機本体１の内扉を閉じると、内扉の内面に圧着するようになっている。
【００３１】
可動フレーム１７は断面コ字状に形成された金属板からなり、上端側フレーム１４の端面部１４ａに対応する端面部１７ａと、端面部１４ａの幅方向両端からそれぞれ下方に向かって垂直に延びる一対の側面部１７ｂとから形成されている。この場合、可動フレーム１７は上端側フレーム１４よりも幅広に形成され、可動フレーム１７の各側面部１７ｂが上端側フレーム１４の各側面部１４ｂの幅方向両側方に位置するようになっている。また、各側面部１７ｂには、上下方向に延びるネジ挿通用の長孔１７ｃがそれぞれ設けられ、各長孔１７ｃに挿入された段付ネジ１８を上端側フレーム１４のネジ孔１４ｃに螺着することにより、可動フレーム１７が上端側フレーム１４に上下方向に移動自在に連結されるようになっている。この場合、可動フレーム１７と上端側フレーム１４との間には緩衝部材１９が介在している。緩衝部材１９は、例えばＥＰＤＭ（エチレン、プロピレン、ジエンの３元共重合体）、ＰＵＲ（ポリウレタンレジン）、ＰＥ（ポリエチレン）等のようにクッション性及び断熱性を有する素材からなり、何れも発泡させたものが望ましい。また、可動フレーム１７は、仕切板１０を商品収納庫２内に取付ける際、平板状の上端側パッキン１７ｄを介して商品収納庫２内の上面に圧着するようになっている。
【００３２】
前記仕切板１０を組立てる際には、図５（ａ）　に示すように断熱板１１の前端部を前端側フレーム１２の各側面部１２ｂ，１２ｃ間に挿入し、図５（ｂ）　に示すように各側面部１２ｂ，１２ｃの各孔１２ｄに挿入したネジ２０を断熱板１１に螺着することにより、前端側フレーム１２が断熱板１１に固定される。また、後端側フレーム１３も前端側フレーム１２と同様にして仕切板１０の後端部に取付けられる。そして、断熱板１１の上端部及び下端部にはそれぞれ上端側及び下端側フレーム１４，１５が取付けられ、前端側フレーム１２には前端側パッキン１６が取付けられる。
【００３３】
以上のようにして組立られた仕切板１０は、後端側フレーム１３の各取付片１３ｅを商品収納庫２内の背面にネジ止めすることにより、商品収納庫２内に固定される。その際、上端側及び下端側パッキン１７ｄ，１５ａが商品収納庫２内の上面及び底面に圧着するとともに、商品収納庫２内の上面部２ｂと上端側フレーム１４との間には所定間隔Ｌの隙間が形成される。また、前端側フレーム１２の下端は、図６に示すように商品収納庫２内の底面に取付けられた支持金具２１によって支持される。この場合、支持金具２１は前端側フレーム１２の側面に取付けられた段付ネジ等の係止部材２２を下方から支持するようになっている。
【００３４】
また、商品収納庫２の上面部２ｂに吊り下げられた各商品コラム３の荷重により、上面部２ｂが下方に撓みを生じた場合には、上面部２ｂと共に可動フレーム１７が下方に移動するが、上面部２ｂの撓みは可動フレーム１７と上端側フレーム１４との間の緩衝部材１９によって吸収され、上面部２ｂからの荷重が断熱板１１側に直接加わることはない。
【００３５】
このように、本実施形態の自動販売機によれば、仕切板１０の上端と商品収納庫２の上面部２ｂとの間に所定間隔Ｌの隙間を設けるとともに、仕切板１０の上端と上面部２ｂとの間に緩衝部材１９を介在させるようにしたので、各商品コラム３の荷重によって上面部２ｂが下方に撓みを生じた場合でも、上面部２ｂの撓みを緩衝部材１９によって吸収することができる。これにより、上面部２ｂからの荷重が仕切板１０の断熱板１１側に直接加わることがなく、仕切板１０をウレタンボード等のように上方からの荷重に対して十分な強度を有しない部材によって形成した場合でも、仕切板１０の変形を確実に防止することができる。
【００３６】
この場合、緩衝部材１９を断熱性を有する部材によって形成したので、仕切板１０と商品収納庫の上面部２ｂとの間の隙間が緩衝部材１９によって断熱され、仕切板１０による各庫室２ｃ，２ｄ間の断熱性を低下させることがないという利点がある。
【００３７】
また、仕切板１０の上端側フレーム１４に緩衝部材１９を覆う可動フレーム１７を上下方向に移動自在に取付けたので、可動フレーム１７によって商品収納庫２の上面部２ｂと仕切板１０との間の隙間を密閉することができ、各庫室２ｃ，２ｄ間の気密性を高めることができる。
【００３８】
更に、仕切板１０を、板状に形成された断熱板１１と、断熱板１１の端部に補強部材として取付けられる複数のフレーム１２〜１５とから形成し、各フレーム１２〜１５を断熱板１１にそれぞれネジ１７によって固定するようにしたので、廃棄処理に際し、仕切板１０の断熱板１１を金属部品である各フレーム１２〜１５から容易に分離することができ、分別廃棄に極めて有利である。
【００３９】
この場合、仕切板１０の上端側フレーム１４に可動フレーム１７を上下方向に移動自在に連結したので、可動フレーム１７を仕切板１０と一体化することができ、仕切板１０を商品収納庫２内に取付ける際の作業性を向上させることができる。
【００４０】
尚、前記実施形態では、商品収納庫２内の所定位置に仕切板１０を固定するようにしたものを示したが、仕切板１０を着脱自在に取付け、商品収納庫２内の幅方向任意の位置を仕切るようにしたものであってもよい。
【００４１】
【発明の効果】
以上説明したように、請求項１の自動販売機によれば、商品収納庫の上面部からの荷重が仕切板に直接加わることがないので、例えば仕切板をウレタンボード等のように上方からの荷重に対して十分な強度を有しない部材によって形成した場合でも、仕切板の変形を確実に防止することができる。
【００４２】
また、請求項２の自動販売機によれば、請求項１の効果に加え、仕切板と商品収納庫の上面部との間の隙間が緩衝部材によって断熱することができるので、仕切板による断熱性を低下させることがないという利点がある。
【００４３】
また、請求項３の自動販売機によれば、請求項１または２の効果に加え、可動部材によって商品収納庫の上面部と仕切板との間の隙間を密閉することができるので、仕切板による気密性を高めることができる。
【００４４】
また、請求項４の自動販売機によれば、請求項１、２または３の効果に加え、廃棄処理に際し、仕切板の断熱材を他の部品としての補強部材から容易に分離することができるので、分別廃棄に極めて有利である。
【００４５】
また、請求項５の自動販売機によれば、請求項４の効果に加え、可動部材を仕切板と一体化することができるので、仕切板を商品収納庫内に取付ける際の作業性を向上させることができる。
【図面の簡単な説明】
【図１】本発明の一実施形態を示す自動販売機の内部正面図
【図２】仕切板の側面図
【図３】断熱板の部分断面図
【図４】仕切板の分解側面図
【図５】仕切板の組立工程を示す一部断面平面図
【図６】仕切板の上端部を示す正面断面図
【図７】仕切板の上端部を示す分解正面断面図
【図８】仕切板の下端部を示す部分斜視図
【図９】仕切板の上端部の動作説明図
【符号の説明】
１…自動販売機本体、２…商品収納庫、１０…仕切板、１１…断熱板、１２…前端側フレーム、１３…後端側フレーム、１４…上端側フレーム、１５…下端側フレーム、１７…可動フレーム、１９…緩衝部材。
【図１】
2004094812.tif 000003
【図２】
2004094812.tif 000004
【図３】
2004094812.tif 000005
【図４】
2004094812.tif 000006
【図５】
2004094812.tif 000007
【図６】
2004094812.tif 000008
【図７】
2004094812.tif 000009
【図８】
2004094812.tif 000010
【図９】
2004094812.tif 000011